(57)【要約】【課題】ＰＳＰＯＮとＨＰＯＮ（とさらにＷＤＭＰＯＮ）を要素の機能不全から保護するコスト効率的な解決策を提供する。【解決手段】ＰＯＮにおいてトラフィックをプロテクトする方法は、第１のトランスミッタセットからの光ネットワークユニット（ＯＮＵ）に宛てられたダウンストリームトラフィックを送信する段階と、第２のトランスミッタセットから前記ＯＮＵに宛てられた同一のダウンストリームトラフィックをほぼ同時に送信する段階とを有する。また、該方法は、前記第１のトランスミッタセットからの前記ダウンストリームトラフィックと前記第２のトランスミッタセットからの前記ダウンストリームトラフィックのいずれかを選択して、前記ＰＯＮのリモートノードに伝送する段階を有する。【選択図】図３
2008148323.tif 000002
【特許請求の範囲】
【請求項１】
ＰＯＮにおいてトラフィックをプロテクトする方法であって、
第１のトランスミッタセットからの光ネットワークユニット（ＯＮＵ）に宛てられたダウンストリームトラフィックを送信する段階と、
第２のトランスミッタセットから前記ＯＮＵに宛てられた同一のダウンストリームトラフィックをほぼ同時に送信する段階と、
前記第１のトランスミッタセットからの前記ダウンストリームトラフィックと前記第２のトランスミッタセットからの前記ダウンストリームトラフィックのいずれかを選択して、前記ＰＯＮのリモートノードに伝送する方法。
【請求項２】
前記選択されたダウンストリームトラフィックを前記ネットワーク中の装置が受信しなかったことを判断する段階と、
他のトランスミッタセットからの前記ダウンストリームトラフィックを選択して前記ＰＯＮの前記ＲＮに伝送する段階とをさらに有する請求項１に記載の方法。
【請求項３】
前記第１のトランスミッタセットが前記ＯＮＵのディスカバリとレンジングを実行する段階と、
前記第１のトランスミッタセットが前記ＯＮＵの各々のディスカバリとレンジングを前記第２のトランスミッタセットに伝送する段階を含む、請求項１に記載の方法。
【請求項４】
前記第１のトランスミッタセットが前記ＯＮＵのディスカバリとレンジングを実行する段階と、
前記第２のトランスミッタセットが前記ＯＮＵのディスカバリとレンジングを実行する段階とをさらに含む、請求項１に記載の方法。
【請求項５】
前記ＯＮＵに宛てられた前記ダウンストリームトラフィックは、
第１のＯＮＵセットに伝送される第１の波長のトラフィックと、
第２のＯＮＵセットに伝送される第２の波長のトラフィックとを含み、
各トランスミッタセットは前記第１の波長で送信するトランスミッタと前記第２の波長で送信するトランスミッタとを含む、請求項１に記載の方法。
【請求項６】
ＰＯＮにおいてトラフィックをプロテクトする方法であって、
冗長ＯＮＵにおいて複数の主ＯＮＵに宛てられたダウンストリームトラフィックを受信する段階と、
前記ダウンストリームトラフィックをトラフィックルーティング装置が受信しなかったことを判断する段階と、
前記冗長ＯＮＵにおいて受信された前記ダウンストリームトラフィックを前記トラフィックルーティング装置に伝送する段階とを含む方法。
【請求項７】
前記トラフィックルーティング装置から前記ダウンストリームトラフィックを送信するトランスミッタに情報を送信して、前記トランスミッタに前記冗長ＯＮＵに宛てられた前記ダウンストリームトラフィックを再構成させる段階をさらに有する、請求項６に記載の方法。
【請求項８】
ＰＯＮにおいてトラフィックをプロテクトするシステムであって、
光ネットワークユニット（ＯＮＵ）に宛てられたダウンストリームトラフィックを送信する第１のトランスミッタセットと、
前記ＯＮＵに宛てられた同一のダウンストリームトラフィックを、前記第１のトランスミッタセットとほぼ同時に送信する第２のトランスミッタセットと、
前記第１のトランスミッタセットからの前記ダウンストリームトラフィックと前記第２のトランスミッタセットからの前記ダウンストリームトラフィックのいずれかを選択して、前記ＰＯＮのリモートノードに伝送するセレクタとを有するシステム。
【請求項９】
ＰＯＮにおいてトラフィックをプロテクトするシステムであって、
複数の光ネットワークユニット（ＯＮＵ）と、
前記複数の主ＯＮＵに宛てられたダウンストリームトラフィックを受信する冗長ＯＮＵと、
前記主ＯＮＵに付随するトラフィックルーティング装置であって、
それぞれの主ＯＮＵから前記ダウンストリームトラフィックを受信し、
前記冗長ＯＮＵから前記ダウンストリームトラフィックを受信し、
前記冗長ＯＮＵから前記ダウンストリームトラフィックを受信しなかったことを判断するトラフィックルーティング装置と、
前記冗長ＯＮＵに付随し、前記冗長ＯＮＵにおいて受信された前記ダウンストリームトラフィックを前記主ＯＮＵに付随する前記トラフィックルーティング装置に伝送するトラフィックルーティング装置とを有するシステム。
【発明の詳細な説明】
【技術分野】
【０００１】
本発明は通信システムに関し、特に光ネットワーク保護システム及び方法に関する。
【背景技術】
【０００２】
近年、アクセスネットワークとして知られているネットワーク部分において通信ネットワークのボトルネックが生じている。長距離光ネットワークの帯域幅は波長分割多重（ＷＤＭ）や高ビットレートでのトラフィック伝送等の新しい技術により急激に増大している。大都市圏ネットワーク（metropolitan-area  network）の帯域幅も劇的に増大している。しかし、アクセスネットワークでは、手頃な価格での帯域幅の増大がまだなされていない。このように、現在はアクセスネットワークがインターネット等の通信ネットワークのボトルネックとなっている。
【０００３】
ＰＳＰＯＮ（Power-splitting  passive  optical  networks）はこのボトルネック問題に１つの解決策を提供する。ＰＳＰＯＮは、キャリアの中央局にある光ライン端末（ＯＬＴ）が光ネットワークユニット（ＯＮＵ）にブロードキャストの（１つ以上の）ダウンストリーム波長でトラフィックを送信する、典型的なアクセスネットワークを指す。アップストリーム方向では、ＯＮＵは典型的には１つの波長でトラフィックの送信を時分割する。ＯＮＵはアクセスノードの一種であり、ファイバ経由で送信された光信号を個別の加入者に送信できる電気信号に変換し、その逆も行う。ＰＳＰＯＮは、一般的なアクセスネットワークよりも大きな帯域幅を提供することによりボトルネック問題を解決する。例えば、デジタル加入者線（ＤＳＬ）ネットワーク等のネットワークは、銅でできた電話線を介してトラフィックを伝送するが、一般的には約１４４キロビット／秒と１．５メガバイト／秒の間のレートで伝送を行う。反対に、ブロードバンドＰＯＮ（ＢＰＯＮ）はＰＳＰＯＮの一例であるが、現在のところ配備されており、数百メタビット／秒の容量を提供しそれを３２ユーザが共有している。ギガビットＰＯＮ（ＧＰＯＮ）は、ＰＳＰＯＮのもう一つの例であり、より強力なトランスミッタを使用して典型的には２．５ギガビット／秒までのスピードで動作し、さらに大きな帯域幅を提供している。ＰＳＰＯＮにはこの他に非同期転送モードＰＯＮ（ＡＰＯＮ）やギガビットイーサネット(登録商標)ＰＯＮ（ＧＥＰＯＮ）などがある。
【０００４】
ＰＳＰＯＮシステムがアクセスネットワークにおいては大きな帯域幅を提供しているが、需要は増え続けており、より大きな帯域幅が求められている。１つの解決策は、波長分割多重ＰＯＮ（ＷＤＭＰＯＮ）であり、ダウンストリーム（及びアップストリーム）の容量を劇的に増大させるが、まだ十分ではない。ＷＤＭＰＯＮは、各ＯＮＵがそれぞれ専用のダウンストリーム及びアップストリーム波長を介してトラフィックを送受信するアクセスネットワークのことである。ＷＤＭＰＯＮは、容量を劇的に増やすが、多くのオペレータにとってはコストが高すぎ、現在及び近い将来の需要を大幅に上回る容量を提供する。ハイブリッドＰＯＮ（ＨＰＯＮ）は、既存のＰＳＰＯＮから簡単かつ効率的にアップグレードできるようにしてこの問題を解決しており、（例えば、ＷＤＭＰＯＮに）容易かつ効率的にアップグレードできる。ＨＰＯＮは、２つ以上のＯＮＵよりなる複数のグループにダウンストリームのＷＤＭ波長を共有させることにより、より大きなダウンストリーム容量をコスト効率よく提供する。ＨＰＯＮには、複数の波長でダウンストリームトラフィックを伝送し、波長を共有するＯＮＵの１つのグループが各波長を共有するＨＰＯＮ（ＷＳ−ＨＰＯＮ）と、各ＯＮＵに対して唯一の波長でダウンストリームトラフィックを伝送する（がアップストリーム方向ではＰＳＰＯＮの特徴を維持する）ＨＰＯＮとの両方が含まれる。
【発明の開示】
【発明が解決しようとする課題】
【０００５】
ＰＳＰＯＮとＨＰＯＮ（とさらにＷＤＭＰＯＮ）はＤＳＬネットワーク等の一般的なアクセスネットワークよりずっと大きな帯域幅を提供するが、ＯＬＴ、ＯＮＵ、光ファイバの機能不全に対して保護されていない。それゆえ、これらの要素のうちの１つに機能不全（failure）が発生すると、システムはその機能不全が直るまで（少なくとも部分的に）トラフィックの通信が出来ない。より大きな容量への需要が増え続けているので、ＰＳＰＯＮとＨＰＯＮ（とさらにＷＤＭＰＯＮ）を（１つ以上の）要素の機能不全から保護するコスト効率的な解決策が必要とされている。
【課題を解決するための手段】
【０００６】
本発明の教示によると、ＰＯＮ（passive  optical  network）においてトラフィックをプロテクトする方法は、第１のトランスミッタセットからの光ネットワークユニット（ＯＮＵ）に宛てられたダウンストリームトラフィックを送信する段階を含む。該方法は、さらに第２のトランスミッタセットから前記ＯＮＵに宛てられた同一のダウンストリームトラフィックをほぼ同時に送信する段階を含む。該方法は、さらに前記第１のトランスミッタセットからの前記ダウンストリームトラフィックと前記第２のトランスミッタセットからの前記ダウンストリームトラフィックのいずれかを選択して、前記ＰＯＮのリモートノードに伝送する段階を含む。
【０００７】
本発明のさらに別の教示によると、ＰＯＮ（passive  optical  network）においてトラフィックをプロテクトする方法は、冗長ＯＮＵにおいて複数の主ＯＮＵに宛てられたダウンストリームトラフィックを受信する段階を含む。該方法は、さらに前記ダウンストリームトラフィックをトラフィックルーティング装置が受信しなかったことを判断する段階を含む。該方法は、さらに前記冗長ＯＮＵにおいて受信された前記ダウンストリームトラフィックを前記トラフィックルーティング装置に伝送する段階を含む。
【０００８】
本発明の実施形態は１つ以上の技術的有利性を提供する。一実施形態の技術的有利性は、冗長ＯＮＵを用いてすべてのＯＮＵをプロテクトすることにより、各ＯＮＵをプロテクトするために１つの冗長ＯＮＵを使用する大きなコストなしに帯域幅をプロテクトできることである。
【０００９】
他の実施形態の技術的有利性は、両方のトランスミッタセットから同じダウンストリームトラフィックをほぼ同時に送信して、伝送するダウンストリームトラフィックを選択することにより、両方のトランスミッタセットがアクティブであり、一部の従来システムのようにコールドスタンバイ状態ではないことである。それゆえ、ＯＬＴにおける機能不全の後に、トランスミッタのセットをウォームアップして各ＯＮＵをディスカバリとレンジングしなくても、加入者が帯域幅を利用できる。
【００１０】
他の実施形態の技術的有利性は、１つのトランスミッタセットにおいてＯＮＵのディスカバリとレンジングを実行し、そのディスカバリとレンジングを他のトランスミッタセットに伝送するので、両方のトランスミッタセットがアクティブであり、両方のトランスミッタセットがディスカバリとレンジングを実行しなくてもよい。
【００１１】
言うまでもなく、本発明の様々な実施形態には、列記した技術的有利性の一部または全部が含まれても、全く含まれなくてもよい。また、本発明の他の技術的有利性は、図面、詳細な説明、及び特許請求の範囲に基づき、当業者には容易に明らかとなるであろう。
【発明を実施するための最良の形態】
【００１２】
本発明とその特徴及び優位性をよりよく理解してもらうため、添付した図面を参照しつつ以下に説明する。
【００１３】
図１はＰＳＰＯＮ（Power  Splitting  Passive  Optical  Network）１０の一例を示す図である。一般的に、ＰＳＰＯＮはアクセスネットワークとして知られるネットワーク部分における通信ネットワークのボトルネックを解決するために使用されている。近年、長距離光ネットワークの帯域幅は波長分割多重（ＷＤＭ）や高ビットレートでのトラフィック伝送等の新しい技術により急激に増大した。また、大都市圏ネットワーク（metropolitan-area  network）の帯域幅も劇的に増大している。しかし、アクセスネットワークでは、手頃な価格での帯域幅の増大がまだなされていない。このように、現在はアクセスネットワークがインターネット等の通信ネットワークのボトルネックとなっている。
【００１４】
ＰＳＰＯＮは、一般的なアクセスネットワークよりも大きな帯域幅を提供することによりボトルネック問題を解決する。例えば、デジタル加入者線（ＤＳＬ）ネットワーク等のネットワークは、銅でできた電話線を介してトラフィックを伝送するが、一般的には約１４４キロビット／秒と１．５メガバイト／秒の間のレートで伝送を行う。反対に、ブロードバンドＰＯＮ（ＢＰＯＮ）は、現在のところ配備されており、数百メタビット／秒の容量を提供しそれを３２ユーザが共有している。ギガビットＰＯＮ（ＧＰＯＮ）は、より強力なトランスミッタを使用して典型的には２．５ギガビット／秒までのスピードで動作し、さらに大きな帯域幅を提供している。
【００１５】
図１のＰＳＰＯＮ１０を再び参照して、ＰＳＰＯＮ１０は光ライン端末（ＯＬＴ）２０、光ファイバ３０、リモートノード（ＲＮ）４０、光ネットワークユニット（ＯＮＵ）５０を含む。ＰＳＰＯＮ１０は、キャリアの中央局にある光ライン端末（ＯＬＴ）が光ネットワークユニット（ＯＮＵ）にブロードキャストの（１つ以上の）ダウンストリーム波長でトラフィックを送信する、典型的なアクセスネットワークを指す。ＰＳＰＯＮ１０は、例えば、非同期転送モードＰＯＮ（ＡＰＯＮ）、ＢＰＯＮ、ＧＰＯＮ、ギガビットイーサネット(登録商標)ＰＯＮ（ＧＥＰＯＮ）、あるいはその他の好適なＰＳＰＯＮである。すべてのＰＳＰＯＮ１０に共通の特徴は、外部のファイバ装置（outside  fiber  plant）が完全にパッシブ（passive）だということである。ＯＬＴが送信するダウンストリーム信号は、ＲＮによりパッシブに分配され、ファイバブランチ（branches  of  fiber）を通って、ＲＮに結合したダウンストリームのＯＮＵに行く。各ＯＮＵは一つのブランチの端に結合している。ＯＮＵが送信したアップストリーム信号もＲＮによりパッシブに転送されて、ＯＬＴに行く。
【００１６】
ＯＬＴ２０は、アップストリーム端末の一例であるが、キャリア（carrier）の中央オフィスにあり、そこでより大きな通信ネットワークに結合されている。ＯＬＴ２０はトランスミッタを含み、トラフィックを、ダウンストリーム波長λｄで、すべてのＯＮＵ５０にブロードキャスト送信する。ＯＮＵ５０はカスタマサイト（customer  sites）またはその近くにある。ＯＬＴ２０は第２のトランスミッタを含み、トラフィックを、（λｄに加えて）第２のダウンストリーム波長λｖで、すべてのＯＮＵ５０にブロードキャスト送信する。一例として、典型的なＧＰＯＮでは、λｖはアナログビデオトラフィック（traffic）を搬送する。あるいは、λｖはデジタルデータトラフィックを搬送してもよい。ＯＬＴ２０は、レシーバも含み、トラフィックを、全てのＯＮＵ５０から、時分割されたアップストリーム波長λｕで受信する。典型的なＰＳＰＯＮでは、λｄとλｖのダウンストリームトラフィックは、λｕのトラフィックよりも大きなビットレートで送信される。ＰＳＰＯＮの帯域幅（bandwidth）はアップストリームの方がダウンストリームより小さいからである。留意すべきこととして、「ダウンストリーム」トラフィックはＯＬＴ（またはアップストリーム端末）からＯＮＵ（またはダウンストリーム端末）方向に進むトラフィックを指し、「アップストリーム」トラフィックはＯＮＵ（またはダウンストリーム端末）からＯＬＴ（またはアップストリーム端末）方向に進むトラフィックを指す。さらに留意すべきこととして、具体的なＰＳＰＯＮでは、例えば、λｄは１４９０ｎｍを中心とする帯域（band）を含み、λｖは１５５０ｎｍを中心とする帯域を含み、λｕは１３１１ｎｍを中心とする帯域を含む。
【００１７】
光ファイバ３０はアップストリームトラフィックとダウンストリームトラフィックを搬送する好適ないかなるファイバも含み得る。あるＰＳＰＯＮ１０では、光ファイバ３０は例えば双方向光ファイバを含む。他のＰＳＰＯＮ１０では、光ファイバ３０は相異なる２つのファイバを含む。ＰＳＰＯＮ１０のＲＮ４０（一般的に分配ノードとも呼ぶ）は、光カップラ等のいかなる好適なパワースプリッタを含み、ＯＬＴ２０をＯＮＵ５０と接続する。ＲＮ４０はいずれかの好適な位置に配置され、ダウンストリーム信号を分割（split）して、各ＯＮＵ５０がダウンストリーム信号のコピーを受信するようにする。分割（split）とその他の起こりうるパワー損失とにより、ＯＮＵに送られる各コピーのパワーは、ＲＮ４０が受信したダウンストリーム信号のパワーの１／Ｎより小さくなる。ここで、Ｎはカップラの分割数を表す。ダウンストリーム信号のスプリットに加えて、ＲＮ４０はＯＮＵ５０が送信した時分割信号（time-shared  signals）を、単一のアップストリーム信号に結合する働きもする。ＲＮ４０はそのアップストリーム信号をＯＬＴ２０に転送する。
【００１８】
（ダウンストリーム端末の例である）ＯＮＵ５０は、いかなる好適な光ネットワークユニットや光ネットワーク端末（ＯＮＴ）も含み、一般的には、ファイバを介して送信された光信号を個々の加入者に送信し得る電気信号に変換するアクセスノードを指している。加入者には一般家庭（residential  customer）と事業所（commercial  customer）とが含まれる。一般的に、ＰＯＮ１０は１つのＯＬＴ２０あたり３２台のＯＮＵ５０を有し、そのためＰＯＮの多くの例ではこの台数のＯＮＵを含むものとして説明する。しかし、１つのＯＬＴあたりのＯＮＵの台数はいかなる好適な台数であってもよい。ＯＮＵ５０は、（一方はλｄのトラフィックであり、他方はλｖのトラフィックである）ダウンストリームトラフィックを受信する２つのレシーバと、λｕのアップストリームトラフィックを送信する１つのトランスミッタとを有するトリプレクサ（triplexers）を含んでもよい。ＯＮＵトランスミッタの伝送レートはＯＬＴの伝送レートより一般的には低い（アップストリームの伝送能力に対する需要はダウンストリームの伝送能力に対する需要よりも小さいからである）。各ＯＮＵ５０は、指定されたダウンストリームトラフィックを処理して、適当な時分割プロトコルによりアップストリームトラフィックを送信する（１つのＯＮＵがλｕで送信したトラフィックがもう１つのＯＮＵがλｕで送信したトラフィックとぶつからないようにする）。
【００１９】
動作中、典型的なＰＳＰＯＮ１０のＯＬＴ２０は（１つ以上の）ＯＮＵに向けてλｄでダウンストリームトラフィックを送信する。ＯＬＴ２０はＯＮＵ５０にλｖでブロードキャスト用ダウンストリームアナログビデオトラフィックも送信することができる。波長λｄとλｖのトラフィックはＯＬＴ２０で結合され、光ファイバ３０を介してＲＮ４０に進む。ＲＮ４０はダウンストリームトラフィックを好適な数のコピーに分けて、各コピーを対応するＯＮＵに送る。各ＯＮＵはλｄとλｖでダウンストリームトラフィックのコピーを受信し、その信号を処理する。好適なアドレッシング方式（addressing  schemes）を用いてどのトラフィックがどのＯＮＵ５０に宛てられているか識別する。各ＯＮＵ５０は、アップストリームトラフィックを、ファイバ３０を介してλｕで（アップストリームトラフィックがぶつからないように）好適な時分割プロトコルにより送信することもできる。ＲＮ４０は各ＯＮＵ５０からアップストリームトラフィックを受信し、各ＯＮＵ５０からのトラフィックを１つの信号に結合する。ＲＮ４０はその信号をファイバ３０を介してＯＬＴ２０に送る。ＯＬＴ２０はその信号を受信し、それを処理する。
【００２０】
ＰＳＰＯＮが提供する帯域幅はＤＳＬネットワーク等のアクセスネットワークが提供するものより大きいが、帯域幅に対する要求はＰＳＰＯＮが提供する容量の拡大でさえ上回ると予測されている。例えば、一部のストリーミングビデオやオンラインゲームのアプリケーションは、現在約１Ｍｂ／ｓから１０Ｍｂ／ｓのビットレートを必要とするが、一部のＩＰ高精細テレビやビデオオンデマンドのシステムは、現在約２０Ｍｂ／ｓのビットレートを必要とする。帯域幅に対する需要は将来ますます大きくなると予想されている。このように、既存のＰＳＰＯＮから簡単かつ効率的にアップグレードでき、（例えば、ＷＤＭＰＯＮに）容易かつ効率的にアップグレードできるハイブリッドＰＯＮ（ＨＰＯＮ）に対するニーズがある。
【００２１】
図２はＨＰＯＮ１００の一例を示す図である。ＨＰＯＮ１００の一例はＯＬＴ１２０、光ファイバ１３０、ＲＮ１４０、ＯＮＵ１５０を含む。ＨＰＯＮ１００はＰＳＰＯＮとＷＤＭＰＯＮの間のハイブリッド（hybrid）であり、多数のネットワークオペレータに対してコスト効率の高いアップグレードの解決策を提供する。ＨＰＯＮ１００は、２つ以上のＯＮＵ１５０よりなる複数のグループにダウンストリームのＷＤＭ波長を共有させることにより、より大きなダウンストリーム容量をコスト効率よく提供する。留意すべきこととして、ＨＰＯＮは、完全なＷＤＭＰＯＮではないがダウンストリームトラフィックをある波長であるＯＮＵにルーティングできる任意の好適なＰＯＮを指している。ＨＰＯＮには、複数の波長でダウンストリームトラフィックを伝送し、波長を共有するＯＮＵの１つのグループが各波長を共有するＨＰＯＮ（ＷＳ−ＨＰＯＮ）と、各ＯＮＵに対して唯一の波長でダウンストリームトラフィックを伝送する（がアップストリーム方向ではＰＳＰＯＮの特徴を維持する）ＨＰＯＮとの両方が含まれる。
【００２２】
図示した例では、ＯＮＵ１５０ａ−１５０ｎはλ１−λ４を共有している。λｖのトラフィックはすべてのＯＮＵにブロードキャストされる。留意すべきこととして、適当な数であればいくつのＯＮＵでも１つのＯＬＴに結びつけることができる。また、適当な数であればいくつのＯＮＵでも、ＷＳ−ＨＰＯＮにおいて（１つ以上の）波長を共有することができる。ＷＳ−ＨＰＯＮにおいて波長を共有することにより、例えばＷＤＭＰＯＮよりもコストがかからない光学部品を使用することができる。例えば、ＨＰＯＮ１００においてダウンストリーム波長を共有することにより、ネットワーク中のマルチプレクサやトランスミッタやレシーバの部品のコストと安定性に対する要求を下げることができる。波長を共有しているので、ＷＤＭ波長間のスペーシング（spacing）を大きくすることにより、波長選択的な要素（wavelength  selective  elements）の仕様を緩くし、トランスミッタの波長安定性や受動部品の温度安定性を緩くしてもよい。コストの低い部品を使用してダウンストリームの帯域幅を所望の通り大きくすることができるので、多くのネットワークオペレータにとってＨＰＯＮ１００はＷＤＭＰＯＮよりも非常に魅力的なアップグレード策である。
【００２３】
ＨＰＯＮ１００のＯＬＴ１２０は（アップストリーム端末の一例であるが）、キャリアの中央局にあり、λ１−λ４でダウンストリームトラフィックを送信する４つのトランスミッタを有する。λ１−λ４はＯＮＵ１５０よりなる複数のグループが共有する。ＯＬＴ１２０は、すべてのＯＮＵ１５０へのブロードキャストするためλｖでアナログビデオ信号を送信することができる。ＯＬＴ１２０は、ＯＬＴ１２０のトランスミッタが送信した波長を多重するマルチプレクサも有する。ＯＬＴ１２０は波長λｕでアップストリームトラフィックを受信するレシーバも有する。この波長λｕはＯＮＵ１５０が時分割共有する。留意すべきこととして、例示した実施形態においては４つのダウンストリーム波長をＯＮＵ１５０が共有しているが、適当な数であればいくつのダウンストリーム波長をＯＬＴ１２０が送信し、それをＯＮＵ１５０のグループが共有してもよい。また、適当な数であればいくつのブロードキャストダウンストリーム波長をＯＬＴ１２０から送信してすべてのＯＮＵにブロードキャストしてもよい（すなわち、図示したλｖのトラフィックだけでなくともよい）。さらに留意すべきこととして、適当な数であればいくつのアップストリーム波長（ＧＰＯＮの１００ナノメータアップストリーム帯域の複数のサブバンドのトラフィックも含む）をＯＬＴ１２０が受信してもよく、アップストリーム波長をすべてのＯＮＵが時分割共有する必要はない（例えば、ダウンストリーム波長を共有するＯＮＵの各グループが別のアップストリーム波長を時分割共有してもよい）。
【００２４】
光ファイバ１３０はアップストリームトラフィックとダウンストリームトラフィックを搬送する適当ないかなるファイバでもよい。あるＨＰＯＮ１００では、光ファイバ１３０は例えば双方向光ファイバを含む。他のＨＰＯＮ１００では、光ファイバ１３０は相異なる２つのファイバを含む。
【００２５】
ＨＰＯＮ１００のＲＮ１４０はマルチプレクサとパワースプリッタ（power  splitter）を有する。マルチプレクサはダウンストリーム波長λ１−λ４を逆多重（demultiplex）して、これらの波長の各々のトラフィックを波長共有するＯＮＵ１５０の対応するグループに送る。パワースプリッタはダウンストリーム波長λｖのトラフィックを受信し、分割（split）してすべてのＯＮＵ１５０にブロードキャストする。アップストリームトラフィックに関して、ＲＮ１４０のパワースプリッタは、ＯＮＵ１５０から時分割されたλｕでトラフィックを受信し、結合して１つの信号にする。ＲＮ１４０はさらにそのアップストリーム信号をＯＬＴ１２０に転送する。留意すべきこととして、ＲＮ１４０をリモートノード（remote  node）と呼ぶが、「リモート」とはＲＮ１４０が適当な空間的配置でＯＬＴ１２０及びＯＮＵ１５０と通信可能に結合していることを指す。リモートノードは一般的には分散ノード（distribution  node）とも呼ばれる。
【００２６】
ＯＮＵ１５０は（ダウンストリーム端末の例であり）、適当な光ネットワークユニットまたはＯＮＴであればいかなるものであってもよく、一般家庭及び／または事業顧客で使用される。ＯＮＵは適当な数であればいくつでもよい。各ＯＮＵ１５０は、共有波長（λ１−λ４のうちの１つ）のトラフィックを受信するレシーバと、（もしあれば）λｖのトラフィックを受信するレシーバとを有する。各ＯＮＵ１５０は時分割されたλｕでアップストリームトラフィックを送信するトランスミッタも有する。よって、各ＯＮＵ１５０はトリプレクサ（triplexer）を有していても良い。
【００２７】
動作中、ＯＬＴ１２０のトランスミッタは、λ１−λ４でダウンストリームトラフィックを送信する。これらの波長はＯＮＵ１５０の複数のグループにより共有され、（場合によっては）ＯＬＴ１２０の１つのトランスミッタがλｖですべてのＯＮＵ１５０にブロードキャストするダウンストリームトラフィックを送信する。波長λ１−λ４とλｖのトラフィックはＯＬＴ１２０で多重化されて１つの信号になり、その信号は光ファイバ１３０を介してＲＮ１４０に進む。ＲＮ１４０はその信号からλｖのトラフィックをフィルタ（filter）して、そのトラフィックをパワースプリッタに送る。パワースプリッタにおいて、そのトラフィックはすべてのＯＮＵ１５０にブロードキャストするために分割される。マルチプレクサにおいて、ＲＮ１４０は残りの波長（λ１−λ４）のトラフィックを含む信号を逆多重（demultiplex）し、そのトラフィックを各波長（λ１−λ４の１つ）でそれが対応する、波長共有しているＯＮＵ１５０のグループに送る。各ＯＮＵ１５０は、他のＯＮＵと共有する（１つ以上の）波長でトラフィックを受信し、そのトラフィックを（適当なプロトコルにしたがって）処理する。各ＯＮＵ１５０はλｖでもトラフィックを受信して処理する。アップストリーム方向では、各ＯＮＵ１５０は適当なプロトコルに従ってλｕを時分割使用する。ＲＮ１４０は各ＯＮＵ１５０から時分割されたλｕで送られたアップストリームトラフィックを受信し、パワースプリッタを用いてそのトラフィックを結合し、単一の信号にする。ＲＮ１４０は結合したその信号をファイバ１３０を介してＯＬＴ１２０に送る。ＯＬＴ１２０は、レシーバでその信号を受信し、そのトラフィックを処理する。
【００２８】
上記のＰＳＰＯＮとＨＰＯＮは、ＤＳＬネットワーク等の一般的なアクセスネットワークよりずっと大きな帯域幅を提供するが、ＯＬＴ、ＯＮＵ、光ファイバの故障に対して保護されていない。それゆえ、これらの要素のうちの１つに機能不全（failure）が発生すると、ＰＳＰＯＮまたはＨＰＯＮのシステムはその機能不全が直るまで（少なくとも部分的に）トラフィックの通信が出来ない。従来、この問題を解決するため、冗長な第２のシステムを設置し、第１のシステムが機能不全を起こした時にトラフィックを保護していた。しかし、システムに冗長なＯＬＴ、冗長なＲＮ、冗長なＯＮＵを付加し、これらの要素をすべて冗長な光ファイバで接続すると、システムのコストが劇的に増大してしまう。それゆえ、帯域幅は保護されるが、プロバイダと加入者の双方にとってコストが高くなりすぎる。
【００２９】
また、各システムで冗長なＯＬＴを使用しても、その冗長なＯＬＴを従来はコールドスタンバイ（cold  standby）にしていた。冗長なＯＬＴは、コールドスタンバイ状態なので、最初に機能不全（failure）が発生したと判断し、アクティブ状態にウォームアップしなければ、システム中の各ＯＮＵを探す（discovering  and  ranging）プロセスを開始できなかった。これらのステップが完了するまで、冗長ＯＬＴは帯域幅を提供することができない。それゆえ、かかるシステムで機能不全が生じると、ＯＮＵは約５分間、帯域幅を受け取ることができない。結果として、かかるシステムは、機能不全が生じると、ある期間多くのユーザに十分な帯域幅（bandwidth）を提供できない。しかし、本発明は、プロテクトされた（protected）従来のシステムの大きな遅延やコストを発生させずに、ＰＳＰＯＮやＨＰＯＮをプロテクトする方法を提供する。そうすることで、本発明はＯＬＴ、ＯＮＵ、または光ファイバにおける機能不全の場合に、システムをプロテクトすることができる。
【００３０】
図３は、冗長な保護用要素を有するＰＳＰＯＮ（Power  Splitting  Passive  Optical  Network）２００の一例を示す図である。ＰＳＰＯＮ２００はＯＬＴ２２０を含み、そのＯＬＴ２２０は主トランスミッタ２２２ａと冗長トランスミッタ２２２ｂを有し、各トランスミッタはセレクタ２３５に同一のダウンストリームトラフィックを送信する。セレクタ２３５はどちらのダウンストリームトラフィックをＯＮＵ２５０に送信するか決定（designate）し、同一トラフィックの２つのコピーがＯＮＵ２５０に送信されないようにする。ＰＳＰＯＮはさらに冗長ＯＮＵ２６０を含み、この冗長ＯＮＵが機能不全を起こした（１つ以上の）ＯＮＵ２５０に信号を供給する。
【００３１】
ＰＳＰＯＮ２００は、光ファイバ２３０、リモートノード（ＲＮ）２４０、スイッチ２７０、冗長スイッチ２８０をさらに含む。ＰＳＰＯＮ２００は、キャリアの中央局にあるＯＬＴがＯＮＵにブロードキャストの（１つ以上の）ダウンストリーム波長でトラフィックを送信する、典型的なアクセスネットワークである。ＰＳＰＯＮ２００はＡＰＯＮ、ＢＰＯＮ、ＧＰＯＮ、ＧＥＰＯＮ、その他の好適なＰＳＰＯＮである。図示した実施形態では、ＯＬＴが送信するダウンストリーム信号は、ＲＮによりパッシブに分配され、ファイバブランチ（branches  of  fiber）を通って、ＲＮに結合したダウンストリームのＯＮＵに行く。各ＯＮＵは一つのブランチの端に結合している。ＯＮＵが送信したアップストリーム信号もＲＮによりパッシブに転送されて、ＯＬＴに行く。
【００３２】
ＯＬＴ２２０は、アップストリーム端末の一例であるが、キャリア（carrier）の中央オフィスにあり、そこでより大きな通信ネットワークに結合されている。ＯＬＴ２２０はトランスミッタ２２２ａを含み、トラフィックを、ダウンストリーム波長λｄ等で、すべてのＯＮＵ２５０にブロードキャスト送信する。ＯＮＵ２５０はカスタマサイト（customer  sites）またはその近くにある。ＯＬＴ２２０は第２のトランスミッタ（図示せず）を含み、トラフィックを、（λｄと多重される）第２のダウンストリーム波長λｖで、すべてのＯＮＵ２５０にブロードキャスト送信する。一例として、典型的なＧＰＯＮでは、λｖはアナログビデオのトラフィック（traffic）を搬送する。あるいは、λｖはデジタルデータトラフィックを搬送してもよい。ＯＬＴ２２０は、レシーバ２２４ａも含み、トラフィックを、全てのＯＮＵ２５０から、時分割されたアップストリーム波長λｕで受信する。トランスミッタ２２２ａと、λｖを送信するトランスミッタと、レシーバ２２４ｂは、集合的に「主トランスポンダセット（primary  transponder  set）」と呼ぶ。留意すべきこととして、一実施形態において、具体的なＰＳＰＯＮでは、例えば、λｄは１４９０ｎｍを中心とする帯域（band）を含み、λｖは１５５０ｎｍを中心とする帯域を含み、λｕは１３１１ｎｍを中心とする帯域を含む。
【００３３】
図１に示したＰＳＰＯＮ１０のＯＬＴ２０とは異なり、ＯＬＴ２２０は主トランスポンダセットとほぼ同様の冗長なデバイスセット（set  of  devices）も含んでいる。それゆえ、ＯＬＴ２２０は、すべてのＯＮＵ２５０にブロードキャストするλｄ等のダウンストリーム波長でトラフィックを送信する冗長トランスミッタ２２２ｂと、すべてのＯＮＵ２５０にブロードキャストする（冗長トランスミッタのλｄと多重される）第２のダウンストリーム波長λｖでトラフィックを送信する任意的な冗長トランスミッタ（図示せず）と、時分割されたアップストリーム波長λｕですべてのＯＮＵ２５０からのトラフィックを受信する冗長レシーバ２２４ｂとを含む。冗長なデバイスセットは集合的に「冗長トランスポンダセット（redundant  transponder  set）」と呼ぶ。一実施形態では、冗長トランスポンダセットは冗長レシーバ２２４ｂを含まない。それゆえ、主トランスポンダセットのレシーバ２２４ａが両方の光ファイバ２３０に結合される。他の一実施形態では、冗長トランスポンダセットにより、主トランスポンダセットが機能不全に陥っても、ＯＬＴ２２０はトラフィックを送受信できる。さらに別の一実施形態では、冗長トランスポンダセットは、ＯＬＴ２２０とは別個の冗長ＯＬＴに配置される。この実施形態では、ＯＬＴ２２０が機能不全に陥ると、冗長ＯＬＴがトラフィックを送受信できる。
【００３４】
ＯＬＴ２２０はさらにフィルタ２２６を含む。各フィルタ２２６ａと２２６ｂは、適当ないかなるフィルタであってもよく、λｄのトラフィックをＲＮ２４０に通過させる。フィルタ２２６ａと２２６ｂは、さらに、波長λｕのアップストリームトラフィックをそれぞれレシーバ２２４ａと２２４ｂに送る（direct）。また、フィルタ２２６は、λｖ（図示せず）を送信するトランスミッタからの波長λｖのトラフィックを、（λｄとλｖの両方のトラフィックが同一ファイバによりＲＮ２４０に転送されるように）ＲＮ２４０に送る（direct）。
【００３５】
光ファイバ２３０はアップストリームトラフィックとダウンストリームトラフィックを搬送する好適ないかなるファイバも含み得る。図示した実施形態では、光ファイバ２３０ａはＯＬＴ２２０の主トランスポンダセットに接続されている。光ファイバ２３０ｂはＯＬＴ２２０の冗長トランスポンダセットと接続されている。あるＰＳＰＯＮ２００では、光ファイバ２３０は例えば双方向光ファイバを含む。他のＰＳＰＯＮ２００では、光ファイバ２３０は相異なる２つのファイバを有し、一方のファイバはアップストリームにトラフィックを搬送し、他方のファイバはダウンストリームにトラフィックを搬送する。
【００３６】
セレクタ２３５は、光ファイバ２３０ａと２３０ｂとを択一的に開閉し、一度に一方の光ファイバのみがスイッチを通してトラフィックを通信できるようにする。ファイバの一方のスイッチ要素が閉じている時、他方のファイバのスイッチ要素は開いている。図示した実施形態では、セレクタ２３５により、トランスミッタ２２２ａと２２２ｂは両方とも同時にアクティブである（一方のトランスミッタからのトラフィックはセレクタ２３５をターミネイトする（terminated）からである）。これにより、トランスミッタ２２２ａが機能不全に陥った（fail）ことが分かると、トランスミッタ２２２ｂがすぐにトラフィックを送信でき、またはその逆である。トランスミッタ２２２ａがすでにアクティブ（active）であり、従来のシステムのようにコールドスタンバイ状態ではないので、トランスミッタ２２２ｂがウォームアップして各ＯＮＵ２５０を探して見つける（discover  and  range）まで待たなくても、加入者は帯域幅を利用できる。結果として、セレクタ２３５により、トランスミッタ２２２ｂをコールドスタンバイ状態にして、トランスミッタ２２２ａがすでに処理しているトラフィックをトランスミッタ２２２ｂが送信しないようにする必要性がなくなる。一実施形態では、光ファイバ２３０ａと２３０ｂを開閉する信号はＯＬＴ２２０から受け取る。他の一実施形態では、以下に説明するように、その信号はセレクタ２３５が冗長スイッチ２８０から受け取る。
【００３７】
ＰＳＰＯＮ２００のＲＮ２４０（一般的に分配ノードとも呼ぶ）は、光カップラ等のいかなる好適なパワースプリッタを含み、ＯＬＴ２２０をＯＮＵ２５０と接続する。ＲＮ２４０はいずれかの好適な位置に配置され、ダウンストリーム信号を分割（split）して、各ＯＮＵ２５０がダウンストリーム信号のコピーを受信するようにする。具体的な実施形態では、ＲＮ２４０は２×Ｎ個（図示した例では、２×３２個）のカップラを有する。ＮはＯＮＵ２５０の数である。他の一実施形態では、ＲＮ２４０はカップラまたはその他の部品をカスケード／ツリーにしたもの、またはそれらの組合せであり、光信号を結合及び分割（split）できる。ＲＮ２４０は、ＯＬＴ２２０からの入力は２つあるが、セレクタ２３５が光ファイバ２３０ａまたは２３０ｂのうち一方のみを閉じるので、その結果ダウンストリーム信号の１つのコピーのみを受信する。ダウンストリーム信号を分割するのに加えて、ＲＮ２４０は、ＯＮＵ２５０によりアップストリーム送信された信号を結合し、２つの同一のアップストリーム信号にする。ＯＬＴ２２０の各レシーバ２２４ａと２２４ｂに対して１つずつである。ＲＮ２４０はそのアップストリーム信号をＯＬＴ２２０に転送する。しかし、セレクタ２３５が光ファイバ２３０の一方のみを閉じる結果として、１つのアップストリーム信号のみがセレクタ２３５を通してＯＬＴ２２０に伝送され、ＯＬＴ２２０は複数の同一のアップストリーム信号を受信しない。
【００３８】
ＯＮＵ２５０は、主ＯＮＵと呼ばれ、いかなる好適な光ネットワークユニットや光ネットワーク端末（ＯＮＴ）も含み、一般的には、ファイバを介して送信された光信号を個々の加入者に送信し得る電気信号に変換するアクセスノードを指している。加入者には一般家庭（residential  customer）と事業所（commercial  customer）とが含まれる。典型的には、ＰＯＮ２００は、１つのＯＬＴ２２０あたり３２個のＯＮＵ５０を有する。しかし、ＯＮＵの台数はいかなる好適な台数であってもよい。ある実施形態では、ＯＮＵ２５０は、（一方はλｄのトラフィックであり、他方はλｖのトラフィックである）ダウンストリームトラフィックを受信する２つのレシーバと、λｕのアップストリームトラフィックを送信する１つのトランスミッタとを有するトリプレクサ（triplexers）を含んでもよい。ＯＮＵトランスミッタの伝送レートはＯＬＴの伝送レートより一般的には低い（アップストリームの伝送能力に対する需要はダウンストリームの伝送能力に対する需要よりも小さいからである）。各ＯＮＵ２５０は、指定されたダウンストリームトラフィックを処理して、適当な時分割プロトコルによりアップストリームトラフィックを送信する（１つのＯＮＵがλｕで送信したトラフィックがもう１つのＯＮＵがλｕで送信したトラフィックとぶつからないようにする）。
【００３９】
冗長ＯＮＵ２６０はＯＮＵ２５０とほぼ同様である。しかし、ＯＮＵ２５０が個別の加入者に送信できる信号を変換するのと異なり、冗長ＯＮＵ２６０は、ＯＮＵ２５０が機能不全に陥ったときに、他のＯＮＵ２５０（より具体的には、ＯＮＵ２５０に付随するスイッチ２７０）に送信される信号を変換する。具体的な実施形態では、冗長ＯＮＵ２６０が変換する信号は、ＯＮＵ２５０が機能不全になったときにのみ、ＯＮＵ２５０に送信される。このように、冗長ＯＮＵ２６０は機能不全になったＯＮＵ２５０に置き換わる。他の一実施形態では、冗長ＯＮＵ２６０が変換する信号はＯＮＵ２５０に常に送信されている。冗長ＯＮＵ２６０は機能不全に陥った複数のＯＮＵ２５０の信号変換を引き継ぐ。冗長ＯＮＵ２６０は、さらに、機能不全に陥ったＯＮＵ２５０のアップストリームトラフィック（λｕ）を送信することができる。
【００４０】
各ＯＮＵ２５０はそれに付随するスイッチ２７０を有している。スイッチ２７０は、ＯＮＵ２５０から電気信号を受信してその電気信号を個別の加入者に送信できる、好適ないかなるスイッチであってもよい。他の一実施形態では、スイッチ２７０は他のトラフィックフォーマットを送受信できる。さらに別の一実施形態では、スイッチ２７０は、トラフィックを方向付けて送る（direct）ことができるその他の装置であってもよく、例えばルータ、ハブ、イーサネット（登録商標）スイッチ、その他トラフィックをルーティングする装置であり、集合的にトラフィックルーティング装置とよ部。スイッチ２７０は、さらに、加入者からの電気信号をＯＮＵ２５０に送信する。その電気信号は光信号に変換され、ＯＬＴ２２０に送信される。ＯＮＵ２５０が機能不全に陥ると（fail）、またはＲＮ２４０とスイッチ２７０との間にあるファイバ２３０の一部が機能不全に陥ると、スイッチ２７０はＯＬＴ２２０との間で信号を送受信できない。しかし、スイッチ２７０は、冗長スイッチ２８０にも接続されているので、冗長スイッチ２８０を通して信号を送受信できる。
【００４１】
冗長スイッチ２８０は、冗長ＯＮＵ２６０により電気信号に変換されたダウンストリーム信号（λｄとλｖ）のコピーを受信し、さらにその電気信号のコピーを各スイッチ２７０に送信できる、好適ないかなるスイッチであってもよい。冗長スイッチ２８０が供給する電気信号は、スイッチ２７０がＯＮＵ２５０から電気信号を受信しないときに使用する。さらにまた、冗長スイッチ２８０はスイッチ２７０からアップストリーム信号（例えばλｕ）を受信する。アップストリーム信号を受信すると、冗長スイッチ２８０はその信号を冗長ＯＮＵ２６０に送信する。その信号はアップストリーム光信号に変換され、ＯＬＴ２２０に送信される。
【００４２】
一実施形態では、各スイッチ２７０は冗長スイッチ２８０から、変換された電気信号を常に受信する。それゆえ、スイッチ２７０は、（ＯＮＵ２５０の機能不全やＯＮＵ２５０へのファイバの切断などにより）それが付随する（associated）ＯＮＵ２５０から電気信号を受信していないと判断すると、代わりに、冗長スイッチ２８０から受信した電気信号を加入者に送信する。一実施形態では、スイッチ２７０はプロテクションスイッチング機能（protection  switching  capabilities）を有する。この機能により、各スイッチ２７０は、信号のあるなしや信号品質等の様々な要因に基づき、２つの受信信号を選択することができる。他の一実施形態では、スイッチ２７０は冗長スイッチ２８０から、電気信号を常には受信しない。かかる場合、あるスイッチ２７０は、それが付随するＯＮＵ２５０から電気信号を受信していないと判断すると、冗長スイッチ２８０に信号を送り、スイッチ２７０に電気信号を送り始めるように冗長スイッチ２８０に促す（prompt）。一実施形態では、スイッチ２７０は、冗長スイッチ２８０から送られた電気信号を使用し始めると、加入者から受信したアップストリーム信号も冗長スイッチ２８０を通して冗長ＯＮＵ２６０に送信し始める。
【００４３】
本発明の範囲から逸脱することなく、上記のＰＳＰＯＮ２００に修正、追加、または削除をすることができる。上記のＰＳＰＯＮ２００のコンポーネントは具体的な必要性に応じて一体化されたり、分離されたりしてもよい。さらに、上記のＰＳＰＯＮ２００の動作を実行するコンポーネントの数は多くても少なくてもよいし、他のコンポーネントで実行してもよい。
【００４４】
図４と図５は、ＰＳＰＯＮ２００の保護動作を表すフローチャートである。図４は、ＰＳＰＯＮ２００のＯＬＴにおける機能不全に対するＰＳＰＯＮ２００の保護動作の一実施形態を示すフローチャートである。ＯＬＴにおける機能不全（failure）は、ＯＬＴのトランスミッタ（トランスミッタ２２２ａや２２２ｂ）の１つにおける機能不全を表す。
【００４５】
この方法はステップ３１０で始まり、ＰＳＰＯＮ２００全体の分析を行う。信号を送信するため、トランスミッタはＯＮＵのディスカバリ（discovery）とレンジング（ranging）とを実行しなければならない。これには次のものが含まれる：
各ＯＮＵのシリアルナンバーの判断、各ＯＮＵに割り当てるＯＮＵ−ＩＤの決定、各ＯＮＵからのアップストリーム送信のアライバルフェーズ（arrival  phase）の測定、（ＯＮＵにアップストリーム送信を調節させるために各ＯＮＵに送る）等価遅延通知の生成、及びＯＮＵの設定の決定（これは、各ＯＮＵのＯＮＵマネージメント・制御チャンネル（ＯＭＣＣ）の「Ｃｏｎｆｉｇｕｒｅ  Ｐｏｒｔ−ＩＤ」物理レイヤ動作管理・メンテナンス（ＰＬＯＡＭ）メッセージを用いて行われる）。
【００４６】
一実施形態では、トランスミッタの各セットは、ネットワークに変化があるたびに（例えば、ＯＮＵ２５０が追加または取り除かれるたびに）ＰＳＰＯＮ全体を分析できる。この分析は、セレクタ２３５を用いて各光ファイバを交代的に閉じて行われる。他の一実施形態では、トランスミッタの１つのセットのみが、ネットワークに変更があるたびにＰＳＰＯＮを分析できる。かかる実施形態では、ネットワークを分析すると、その分析をしたトランスミッタのセット（set）は、トランスミッタの他のセットにその分析結果を送ることができる。こうすることにより、トランスミッタの両方のセットは、ＰＳＰＯＮの状態に応じて常にアップグレード（upgrade）される。一実施形態では、トランスミッタの主セットとＲＮとの間のレンジ（range）は、トランスミッタの冗長セットとＲＮとの間のレンジとは異なる。かかる実施形態では、トランスミッタの各セットは、さらに、レンジの違いを計算して、その違いを補償することができる。一実施形態では、距離的な違いが３０メートルより小さければ、この計算と補償は必要ない。
【００４７】
分析を実行後、ステップ３２０に進み、（１つ以上の）トランスミッタの２つの個別のセット（例えば、トランスミッタ２２２ａと２２２ｂ）から同一のダウンストリーム信号を送信する（また、任意的に、付随するトランスミッタはλｖでトラフィックを送信する）。トランスミッタの２つのセットは、同一のダウンストリーム信号を送信することができる。そのトランスミッタの両方のセットは、アクティブ（active）に保たれており、同時に送信しているからである。それゆえ、トランスミッタの主セットが機能不全に陥っても、トランスミッタの冗長セットは、信号送信を開始する前にウォームアップしてＰＳＰＯＮの分析を実行する必要はない。
【００４８】
ステップ３３０において、トランスミッタの１つのセットに結合した光ファイバを閉じる（closed）。トランスミッタの１つのセットに結合した光ファイバを閉じると、同時に、トランスミッタの他のセットに結合した光ファイバが開かれる（open）。トランスミッタの１つのセットに結合した光ファイバを閉じることにより、ダウンストリーム信号がトランスミッタのその１つのセットとＲＮとの間で搬送される。同時に、トランスミッタの他のセットからのダウンストリーム信号は、光ファイバが開くので、ＲＮに搬送されない。こうすることにより、ＲＮが同一ダウンストリーム信号の２つの同一のコピーを受信することを防止する。
【００４９】
ステップ３４０において、信号はＲＮで受信され、ＰＳＰＯＮを通して送信される。一実施形態では、（例えば、λｄとλｖを含む）ダウンストリーム信号は、各ＯＮＵで受信され、電気信号に変換され、対応するスイッチにより各加入者に送信される。同様に、加入者からの各アップストリーム信号は、各ＯＮＵからＯＬＴに（λｕで）送信される。
【００５０】
ステップ３５０において、ＯＬＴで機能不全が起こっていなければ、ステップ３４０に戻り、ＲＮにおいて信号が受信され、ＰＳＰＯＮ全体に送信される。しかし、ステップ３５０において、ＯＬＴで機能不全がおこっている場合、ステップ３６０に進む。ネットワーク中のすべてのＯＮＵがダウンストリーム信号を受信しないとき、ＯＬＴにおける機能不全が生じたと判断される。さらに別の一実施形態では、ダウンストリーム信号が閉じた光ファイバを通してＯＬＴから受信されなければ、機能不全があったとセレクタにおいて判断される。他の一実施形態では、ダウンストリーム信号が閉じた光ファイバを通してＯＬＴから受信されなければ、機能不全があったとＲＮにおいて判断される。あるいは、一実施形態では、ダウンストリーム信号がＯＬＴから受信されなければ、機能不全があったとＯＮＵにおいて判断される。
【００５１】
ステップ３６０において、ＯＬＴにおける機能不全に応答して、セレクタはその前に閉じられていた光ファイバを開き、その前に開かれていた光ファイバを閉じる。こうすることにより、他のトランスミッタのセットから送信される信号をＲＮに送信し、その結果、ＯＮＵに送信する。結果として、ＯＬＴにおける機能不全を迂回して、信号の通信を保護する。また、この保護は、他のトランスミッタのセットをウォームアップして各ＯＮＵをディスカバリ、レンジングしなければならないことにより生じる不必要な遅延なしに行うことができる。
【００５２】
交代の光ファイバを閉じると、ステップ３４０に戻り、信号はＲＮにおいて受信され、ＰＳＰＯＮ全体に送信される。ＯＬＴにおける機能不全からＰＳＰＯＮを保護する方法において、引き続き、ＯＬＴにおけるさらに別の機能不全を監視し、その機能不全に対する保護を行う。一実施形態では、冗長トランスミッタセットが機能不全に陥ると、（修復された）主トランスミッタセットに切り換えて、ＰＳＰＯＮを保護する。
【００５３】
図５は、ＰＳＰＯＮ２００のＯＮＵにおける機能不全に対するＰＳＰＯＮ２００の保護動作の一実施形態を示すフローチャートである。ＯＮＵにおける機能不全は、（１つ以上の）ＲＮのダウンストリームの光ファイバまたはＯＮＵにおける機能不全を表す。一実施形態では、図５の方法は図４の方法と並行して実行される。
【００５４】
ステップ４１０において、信号はＲＮで受信され、ＰＳＰＯＮを通して送信される。一実施形態では、（例えば、λｄとλｖのトラフィックを含む）ダウンストリーム信号は、各ＯＮＵで受信され、光レシーバにより電気信号に変換され、対応するスイッチにより各加入者に送信される。同様に、加入者からの（例えば、λｕでのトラフィックを含む）各アップストリーム信号は、各ＯＮＵからＯＬＴに送信される。
【００５５】
ステップ４２０において、（１つ以上の）ＯＮＵで機能不全が起こっていなければ、ステップ４１０に戻り、ＲＮにおいて信号が受信され、通常のやりかたでＰＳＰＯＮ全体に送信される。しかし、ステップ４２０において、（１つ以上の）ＯＮＵで機能不全がおこっている場合、ステップ４３０に進む。
【００５６】
ステップ４３０において、冗長ＯＮＵを使用して、機能不全に陥ったＯＮＵのスイッチとの間で信号を送受信する。（λｄとλｖ等の）ダウンストリーム信号は冗長ＯＮＵで受信され、電気信号に変換される。冗長スイッチは、その電気信号を受信し、それを機能不全に陥ったＯＮＵに対応するスイッチに送信する。冗長ＯＮＵと冗長スイッチを使用しても、スイッチが受信するダウンストリーム信号には影響はない。冗長ＯＮＵを含むすべてのＯＮＵが同じλのダウンストリームトラフィックを受信するからである。
【００５７】
一実施形態では、冗長スイッチは、冗長ＯＮＵに接続され、ダウンストリーム信号を各ＯＮＵのスイッチに常に送信している。かかる場合には、冗長スイッチは各スイッチのために冗長ＯＮＵから受信した電子信号のコピーを作る。従って、各スイッチは、冗長スイッチからダウンストリーム電気信号を常に受信するので、さらに、そのＯＮＵから電気信号を受信していないことを判断して、冗長スイッチから受信した電気信号を選択して加入者に転送する。
【００５８】
さらに別の実施形態では、冗長スイッチは冗長ＯＮＵから受信した電気信号を常には送信しない。かかる場合には、機能不全に陥ったＯＮＵに付随するスイッチは、ＯＮＵから信号を受信しない時、冗長スイッチに信号を送信し、そのスイッチに電気信号を送信するように冗長スイッチを促す。そして、そのスイッチは、冗長スイッチから受信した信号を選択して加入者に転送する。
【００５９】
具体的な実施形態では、冗長スイッチは、機能不全に陥ったＯＮＵのスイッチからアップストリーム信号を受信する。アップストリーム信号は冗長ＯＮＵに送信され、その冗長ＯＮＵによりＯＬＴに送信される。
そのスイッチが機能不全に陥ったＯＮＵではなく冗長ＯＮＵを使用し始めると、ステップ４１０に戻る。ステップ４１０において、信号はＲＮで受信され、ＰＳＰＯＮを通して送信される。冗長ＯＮＵを使用する結果として、機能不全に陥ったＯＮＵに対応するスイッチは、冗長スイッチ及び冗長ＯＮＵを通して信号を送受信する。機能不全に陥ったＯＮＵを修理・交換すると、ネットワークは通常の動作に戻る。
【００６０】
図６は、冗長保護要素を有するＨＰＯＮ５００の一例を示す図である。ＨＰＯＮ５００は、主トランスミッタセット５１０ａと冗長トランスミッタセット５１０ｂとを含み、各トランスミッタセットは同じダウンストリームトラフィックをセレクタ５３５に送信する。セレクタ５３５はどちらのダウンストリームトラフィックのコピーをＯＮＵ５５０に送信するか決定（designate）し、同一トラフィックの２つのコピーがＯＮＵ５５０に送信されることを防止する。ＨＰＯＮはさらに冗長ＯＮＵ５６０を含み、この冗長ＯＮＵが機能不全に陥った（１つ以上の）ＯＮＵ５５０に信号を供給する。
【００６１】
ＨＰＯＮ５００はさらにファイバ５３０、ＲＮ５４０、スイッチ５７０、及び冗長スイッチ５８０を有する。ＨＰＯＮ５００は、２つ以上のＯＮＵ５５０よりなる複数のグループにダウンストリームのＷＤＭ波長を共有させることにより、より大きなダウンストリーム容量をコスト効率よく提供する。留意すべきこととして、ＨＰＯＮは、完全なＷＤＭＰＯＮではないがダウンストリームトラフィックをある波長であるＯＮＵにルーティングできる任意の好適なＰＯＮを指している。ＨＰＯＮには、複数の波長でダウンストリームトラフィックを伝送し、波長を共有するＯＮＵの１つのグループが各波長を共有するＨＰＯＮ（ＷＳ−ＨＰＯＮ）と、各ＯＮＵに対して唯一の波長でダウンストリームトラフィックを伝送する（がアップストリーム方向ではＰＳＰＯＮの特徴を維持する）ＨＰＯＮとの両方が含まれる。
【００６２】
図示した例では、ＯＮＵ５５０ａ−５５０ｚはλ１−λ８を共有している。留意すべきこととして、適当な数であればいくつのＯＮＵでも１つのＯＬＴに結びつけることができる。また、適当な数であればいくつのＯＮＵでも、ＷＳ−ＨＰＯＮにおいて（１つ以上の）波長を共有することができる。
【００６３】
ＯＬＴ５０１は、トランスミッタセット５１０ａ、マルチプレクサ５２０ａ、レシーバ５２４ａ、及びフィルタ５２６ａを有する。トランスミッタセット５１０ａはトランスミッタ５１５ａを含む。このトランスミッタ５１５ａは好適なトランスミッタであればいかなるものでもよく、それぞれ対応する波長λ１−λ８でトラフィックを送信する。トランスミッタセット５１０ａは、すべてのＯＮＵ５５０にブロードキャストするためにダウンストリーム波長λｖ（図示せず）でトラフィックを送信するトランスミッタを含んでもよい。
【００６４】
マルチプレクサ５２０ａは好適なマルチプレクサ／デマルチプレクサを有し、（波長ルータと考えても良く、）λ１−λ８のトラフィックとλｖのトラフィック（図示せず）とを結合して１つの信号にする。
【００６５】
レシーバ５２４ａは、時分割されたλｕで搬送されたＯＮＵ５５０と冗長ＯＮＵ５６０からのアップストリームトラフィックを受信する好適なレシーバである。フィルタ５２６ａは任意の好適なフィルタであり、それぞれλ１−λ８のトラフィックを通過させる。フィルタ５２６ａはさらに波長λｕのアップストリームトラフィックをレシーバ５２４ａに送る（direct）ことができる。また、フィルタ５２６ａは、λｖを送信するトランスミッタからの波長λｖのトラフィック（図示せず）を通過させる。
【００６６】
ＯＬＴ５０１は、さらに、ＯＬＴ５０１に関して上で説明した装置とほぼ同様の冗長装置セットを有する。それゆえ、ＯＬＴ５０１は、対応する波長λ１−λ８でトラフィックを送信する（冗長トランスミッタ５１５ｂを含む）冗長トランスミッタセット５１０ｂと、λ１−λ８のトラフィックを結合して１つの信号にする冗長マルチプレクサ５２０ｂと、時分割されたλｕで搬送されるＯＮＵ５５０及び冗長ＯＮＵ５６０からのアップストリームトラフィックを受信する冗長レシーバ５２０ｂと、λ１−λ８のトラフィックを通過させ、波長λｕのアップストリームトラフィックをレシーバ５２４ｂに送る（direct）冗長フィルタ５２６ｂとを含む。冗長トランスミッタセット５１０ｂは、波長λｖ（図示せず）でトラフィックを送信するトランスミッタを含んでもよい。他の実施形態では、ＯＬＴ５０１はレシーバ５２４ｂを含んでいなくてもよい。かかる場合、レシーバ５２４ａは、どちらの光ファイバ５３０が閉じられていてもアップストリームトラフィックλｕを受信するために、両方の光ファイバ５３０に結合している。一実施形態では、冗長な装置のセットにより、主装置セットが機能不全に陥っても、ＯＬＴ５０１はトラフィックを送受信できる。他の一実施形態では、冗長装置セットは、ＯＬＴ５０１とは別個の冗長ＯＬＴに配置される。この実施形態では、ＯＬＴ５０１が機能不全に陥ると、冗長ＯＬＴがトラフィックを送受信できる。
【００６７】
光ファイバ５３０はアップストリームトラフィックとダウンストリームトラフィックを搬送する好適ないかなるファイバも含み得る。図示した実施形態では、光ファイバ５３０ａはＯＬＴ５０１のトランスミッタセットに接続されている。光ファイバ５３０ｂはＯＬＴ５０１の冗長トランスポンダセット５１０ｂに接続されている。あるＨＰＯＮ５００では、光ファイバ５３０は例えば双方向光ファイバである。他のＨＰＯＮ５００では、光ファイバ５３０は相異なる２つのファイバを有し、一方のファイバはアップストリームにトラフィックを搬送し、他方のファイバはダウンストリームにトラフィックを搬送する。
【００６８】
セレクタ５３５は、光ファイバ５３０ａと５３０ｂとを択一的に開閉し、一度に一方の光ファイバのみがスイッチを通してトラフィックを通信できるようにする。図示した実施形態では、セレクタ５３５により、トランスミッタセット５１０ａと５１０ｂは両方とも同時にアクティブである（一方のトランスミッタセットからのトラフィックはセレクタ５３５をターミネイトする（terminated）からである）。これにより、トランスミッタセット５１０ａが機能不全に陥った（fail）ことが分かると、トランスミッタセット５１０ｂがすぐにトラフィックを送信でき、またはその逆である。トランスミッタセット５１０ａがすでにアクティブ（active）であり、従来のシステムのようにコールドスタンバイ状態ではないので、トランスミッタセット５１０ｂがウォームアップして各ＯＮＵ５５０をディスカバリ及びレンジング（discover  and  range）するまで待たなくても、加入者は帯域幅を利用できる。結果として、セレクタ５３５により、トランスミッタセット５１０ｂをコールドスタンバイ状態にして、トランスミッタセット５１０ａがすでに処理しているトラフィックをトランスミッタセット５１０ｂが送信しないようにする必要性がなくなる。一実施形態では、光ファイバ５３０ａと５３０ｂを開閉する信号はＯＬＴ５０１から受け取る。他の一実施形態では、以下に説明するように、その信号はセレクタ５３５が冗長スイッチ５８０から受け取る。図示した実施形態では、セレクタ５３５はＯＬＴ５０１内にある。あるいは、セレクタ５３５はＯＬＴ５０１外にあってもよい。
【００６９】
ＲＮ５４０は、フィルタ５４１、主カップラ５４２、主カップラ５４３、マルチプレクサ５４４、副カップラ５４５を含む。ＲＮ５４０は、λ１−λ８のトラフィックを受信して、逆多重（demultiplex）し、λ１−λ８のトラフィックを対応するグループで、波長を共有するＯＮＵ５５０と冗長ＯＮＵ５６０に転送する。ＲＮ５４０は、ＯＮＵ５５０と冗長ＯＮＵ５６０とから、時分割された波長λｕで搬送されたアップストリーム信号を受信し、これらの信号を結合して、結合した信号をλｕでＯＬＴ５０１に転送する。繰り返しになるが、ＨＰＯＮ５００は、ＯＮＵ５５０のグループ間で波長を共有でき、ネットワークの容量を増やしつつ、完全なＷＤＭネットワークの構成要素ほどコストがかからない。
【００７０】
ＲＮ５４０は、ＯＬＴ５０１からλｖの任意的トラフィックまたはその他の好適なブロードキャストトラフィック（図示せず）を受信し、各ＯＮＵ５５０と冗長ＯＮＵ５６０にλｖのトラフィックをフィルタしてブロードキャストする。図示はしていないが、各ＯＮＵ５５０と冗長ＯＮＵ５６０へのλｖの経路（path）はλｕの経路とほぼ同様であるが、方向が反対である。このように、λｖは、１つのフィルタ５４１から主カップラ５４２に送信され、主カップラ５４２でコピーされ、各副カップラ５４５に送信され、副カップラ５４５でコピーされてから各ＯＮＵ５５０と冗長ＯＮＵ５６０に送信される。さらに、図６にリモートノードの実施形態を１つだけ示したが、好適なその他のリモートノードをＨＰＯＮ５００で使用してもよい。
【００７１】
フィルタ５４１は、λ１−λ８のトラフィックを含む信号を受信し、そのλ１−λ８のトラフィックを主カップラ５４２に通過させる好適なフィルタであってもよい。フィルタ５４１は、λｖまたはその他のブロードキャストされたλを受信すると、それを主カップラ５４２に送る。セレクタ５３５は一度に１つの光ファイバ５３０のみを閉じ（close）、１つのフィルタ５４１のみがダウンストリームトラフィックのコピーを受信する。アップストリーム方向では、フィルタ５４１はそれぞれがλｕのトラフィックを受信し、それをＯＬＴ５０１に送る（direct）。
【００７２】
主カップラ５４３は、いずれかのフィルタ５４１からのλ１−λ８のトラフィックを受信し、そのトラフィックをマルチプレクサ５４４に通過させる好適な装置であればいかなるものであってもよい。主カップラ５３４は両方のフィルタ５４１ａと５４１ｂからの入力を有する。主カップラ５４３は２つの入力を持つが、１つの入力でダウンストリームトラフィックλ１−λ８のコピーを受信するだけである。セレクタ５３５は、同一のダウンストリームトラフィックのコピーがネットワークを通じて伝送されることを防止するからである。
【００７３】
マルチプレクサ５４４は、いかなる好適なマルチプレクサ／デマルチプレクサも含み、λ１−λ８のトラフィックを含む信号を受信してその信号を逆多重（demultiplex）する。図示した例ではマルチプレクサ５４４は１×８マルチプレクサであるが、別のネットワークではマルチプレクサのポート数は好適な任意の数である。また、別のネットワークでは、マルチプレクサ５４４は２つ以上の別個のマルチプレクサを有し、それぞれが（１つ以上の）アップストリーム信号原からのダウンストリーム信号を受信し、そのトラフィックをダウンストリームに転送し、ＯＮＵに波長を共有させるようにしてもよい。ダウンストリーム方向では、マルチプレクサ５４４の各出力ポートは、λ１−λ８の波長のトラフィックを対応する副カップラ５４５に、転送する。別の実施形態では、各波長のトラフィックは図示したものとは異なる副カップラに通過してもよく、２つ以上の波長のトラフィックが副カップラに通過してもよく、マルチプレクサ５４４が８個以上または以下のダウンストリーム波長のトラフィックを受信、多重、及び通してもよい。
【００７４】
アップストリーム方向では、マルチプレクサ５４４はＯＮＵ５５０と冗長ＯＮＵ５６０からのλｕのトラフィックを受信し、ターミネイト（terminate）してもよい。あるいは、マルチプレクサ５４４は、フィルタ５４１にこのトラフィックを転送し、好適にターミネイト（termination）させてもよい（ターミネイトの実行は内部的であっても外部的であってもよい）。主カップラ５４２は、アップストリーム方向において、副カップラ５４５からの、時分割されたλｕでＯＮＵ５５０と冗長ＯＮＵ５６０が送信したトラフィックを受信し、このトラフィックを結合して１つの信号にする。主カップラ５４２はアップストリーム信号をＯＬＴ５０１に転送する。主カップラ５４２は、アップストリーム方向の時分割されたλｕのトラフィックを結合する。主カップラ５４２は２×８のパワースプリッタとして図示したが、好適ないかなるカップラを使用してもよい。ダウンストリーム方向において、カップラ５４２は、ダウンストリームトラフィックλｖ（図示せず）を分割し、各コピーを副カップラ５４５に転送する。
【００７５】
マルチプレクサ５４４からの信号を受信し、その信号を好適な数のコピーに分割し、波長を共有しているＯＮＵ５５０のグループのＯＮＵと冗長ＯＮＵ５６０とに各コピーを転送する任意の好適なパワースプリッタを、各副カップラ５４５は有する（波長を共有しているＯＮＵの各グループは、ダウンストリーム方向でλ１−λ８の１つを共有し、冗長ＯＮＵ５６０はこれらのグループの１つに含まれても良いし、独自の波長を受信してもよい）。アップストリーム方向では、各副カップラ５４５は、ＯＮＵ５５０の対応するグループの各ＯＮＵ５５０（及び、場合によっては冗長ＯＮＵ５６０）からλｕで送信されたトラフィックを受信し、各ＯＮＵ５５０及び冗長ＯＮＵ５６０からのトラフィックを結合して１つの信号にする。各副カップラ５４５は、結合されたアップストリームトラフィックを分割して２つのコピーにし、１つのコピーを主カップラ５４２に転送し、もう１つのコピーをマルチプレクサ５４４に転送する。主カップラ５４２に転送されるコピーは、上記の通り、時分割されたλｕで送信された他のＯＮＵ５５０及び冗長ＯＮＵ５６０からのその他のトラフィックと結合される。マルチプレクサ５４４に転送されるコピーは、ブロックされるかフィルタ５４１に送られて、好適にターミネイト（terminate）される。副カップラ５４５は、例示したＨＰＯＮ５００では２×４のカップラとして示したが、好適ないかなるカップラでもよく、カップラの組合せ（例えば、２つの１×２カップラに結合された２×２カップラ）でもよい。副カップラ５４５が分離または結合する信号の数は、適当ないくつの数であってもよい。
【００７６】
ＲＮ５４０は、動作中、いずれかの光ファイバ５３０ａまたは５３０ｂで、１つのフィルタ５４１で、ダウンロード信号（λ１−λ８）のコピーを受信する。どのフィルタ５４１がその信号を受信するかは、どの光ファイバ５３０がセレクタ５３５により閉じられているか（closed）によって決まる。フィルタ５４１は、ダウンストリーム信号を受信し、それを主カップラ５４３に通過させる。主カップラ５４３は信号をマルチプレクサ５４４に転送する。マルチプレクサ５４４は、λ１−λ８のトラフィックを含む信号を受信して、その信号をその構成波長に逆多重（demultiplex）する。マルチプレクサ５４４は、各波長のトラフィックを対応するファイバで送り、各副カップラ５４５がλ１−λ８の対応する波長でそのトラフィックを受信するようにする。各副カップラ５４５は、信号を好適数のコピーに分割する。図示した実施形態では、各副カップラ５４５は信号を４つのコピーに分割する。こうして、λ１−λ８のうちの対応する波長が送信され、ＯＮＵ５５０の（１つ以上の）グループにより共有される。そのグループのうちの１つ以上のグループが、冗長ＯＮＵ５６０を含んでいる。留意すべきこととして、波長を共有しているＯＮＵのグループは、図３に示したものとは異なり、別のネットワークでは、波長を共有しているＯＮＵのグループが２つ以上のＷＤＭ波長を共有してもよい。
【００７７】
副カップラ５４５は、λ１−λ８のうちの対応する波長のトラフィックを含む信号を４つのコピーに分割し、各コピーをファイバ５３０で送り、副カップラ５４５に結合されているＯＮＵ５５０または冗長ＯＮＵ５６０がコピーを受信するようにする。
【００７８】
アップストリーム方向では、ＲＮ５４０の各副カップラ５４５は時分割されたλｕでトラフィックを受信し、対応するグループの各ＯＮＵ５５０及び冗長ＯＮＵ５６０からのトラフィックを結合する。各副カップラ５４５は、λｕのトラフィックを受信して１つの信号に結合し、その信号を２つのコピーに分割し、１つのコピーをマルチプレクサ５４４に送り、もう１つのコピーを主カップラ５４２に送る。上記の通り、例示したネットワーク５００のマルチプレクサ５４４は、λｕをブロックし、またはλｕをフィルタ５４１に転送し、好適にターミネイト（termination）させる。主カップラ５４２は、各副カップラ５４５からのλｕでトラフィックを受信し、そのトラフィックを結合して、フィルタ５４１に送る。フィルタ５４１は、λｕで結合されたトラフィックを受信し、そのトラフィックをＯＬＴ５０１に送る（direct）。
【００７９】
ＯＮＵ５５０は、主ＯＮＵと呼ばれ、いかなる好適な光ネットワークユニットや光ネットワーク端末（ＯＮＴ）も含み、一般的には、ファイバを介して送信された光信号を個々の加入者に送信し得る電気信号に変換するアクセスノードを指している。加入者には一般家庭（residential  customer）と事業所（commercial  customer）とが含まれる。典型的には、ＨＰＯＮ５００は、１つのＯＬＴ５０１あたり３２個のＯＮＵ５５０を有する。しかし、ＯＮＵの台数はいかなる好適な台数であってもよい。いくつかの具体的な実施形態では、ＯＮＵ５５０はトリプレクサ（triplexers）を含み、そのトリプレクサはダウンストリームトラフィックを受信する２つのレシーバ（１つは波長λ１−λ８の１つのトラフィック用であり、もう１つはλｖのトラフィック用である）を含む。各ＯＮＵ５５０は、ＨＰＯＮ５００において、すべての波長λ１−λ８のダウンストリームトラフィックは受信しない。むしろ、各ＯＮＵ５５０は、ＯＮＵ５５０のグループと関連づけられている。各グループはλ１−λ８のうちの１つの波長を受信する。例えば、ＨＰＯＮ５００により例示したように、ＯＮＵ５５０ａと５５０ｂは、波長λ１でダウンストリームトラフィックを受信し、一方、ＯＮＵ５５０ｙは波長λ８でダウンストリームトラフィックを受信する。留意すべきことは、４つのＯＮＵをＨＰＯＮ５００におけるＯＮＵのグループの一部として例示したが、ダウンストリーム波長を共有するグループの一部であるＯＮＵの数は好適ないくつの数であってもよい。また、複数のグループがあり、各グループが相異なるダウンストリーム波長を共有してもよい（図示した例がこの場合である）。留意すべきこととして、適当な数であればいくつのＯＮＵ５５０がネットワークにあってもよい。
【００８０】
各ＯＮＵ５５０のトリプレクサは、アップストリームトラフィックλｕをＯＬＴ５０１に送信するトランスミッタをさらに含む。ＯＮＵトランスミッタの伝送レートはＯＬＴの伝送レートより一般的には低い（アップストリームの伝送能力に対する需要はダウンストリームの伝送能力に対する需要よりも小さいからである）。各ＯＮＵ５５０は、指定されたダウンストリームトラフィックを処理して、適当な時分割プロトコルによりアップストリームトラフィックを送信する（１つのＯＮＵがλｕで送信したトラフィックがもう１つのＯＮＵがλｕで送信したトラフィックとぶつからないようにする）。
【００８１】
冗長ＯＮＵ５６０はＯＮＵ５５０とほぼ同様である。しかし、ＯＮＵ５５０が個別の加入者に送信できる信号を変換するのと異なり、冗長ＯＮＵ５６０は、ＯＮＵ５５０が機能不全に陥ったときに、他のＯＮＵ５５０（より具体的には、ＯＮＵ５５０に付随するスイッチ５７０）に送信される信号を変換する。具体的な実施形態では、冗長ＯＮＵ５６０が受信する信号は、ＯＮＵ５５０が機能不全になったときにのみ、ＯＮＵ５５０に送信される。このように、冗長ＯＮＵ５６０は機能不全になったＯＮＵ５５０に置き換わる。冗長ＯＮＵ５６０は機能不全に陥った複数のＯＮＵ５５０の信号変換を引き継ぐ。冗長ＯＮＵ５６０は、さらに、機能不全に陥ったＯＮＵ５５０のアップストリームトラフィック（λｕ）を送信することができる。
【００８２】
ＯＮＵ５５０と同様に、冗長ＯＮＵ５６０はＯＮＵ５５０とグループを形成していてもよい。それゆえ、１つの波長、例えばλ５を１つ以上のＯＮＵ５５０と冗長ＯＮＵ５６０を含むグループに送っても良い。一実施形態では、ＨＰＯＮ５００は１つの冗長ＯＮＵ５６０のみを含み、どのＯＮＵ５５０が機能不全に陥ってもネットワークを保護する。かかる場合、冗長ＯＮＵ５６０はＯＮＵ５５０のどのグループに入っていてもよい。他の実施形態では、ＨＰＯＮ５００は２つ以上の冗長ＯＮＵ５６０を含む。例えば、ＯＮＵ５５０の各グループは１つの冗長ＯＮＵ５６０を含む。他の実施形態では、ＯＮＵ５５０の２つ以上のグループが１つの冗長ＯＮＵ５６０を共有してもよい。
【００８３】
各ＯＮＵ５５０はそれに付随するスイッチ５７０を有している。スイッチ５７０は、ＯＮＵ５５０から電気信号を受信してその電気信号を個別の加入者に送信できる、好適ないかなるスイッチであってもよい。他の一実施形態では、スイッチ５７０は他のトラフィックフォーマットを送受信できる。さらに別の一実施形態では、スイッチ５７０は、トラフィックを方向付けて送る（direct）ことができるその他の装置であってもよく、例えばルータ、ハブ、イーサネット（登録商標）スイッチ、その他トラフィックをルーティングする装置であり、集合的にトラフィックルーティング装置と呼ぶ。スイッチ５７０は、さらに、加入者からの電気信号をＯＮＵ５５０に送信する。その電気信号は光信号に変換され、ＯＬＴ５０１に送信される。ＯＮＵ５５０が機能不全に陥ると（fail）、またはＲＮ５４０とスイッチ５７０との間にあるファイバ５３０の一部が機能不全に陥ると、スイッチ５７０はＯＬＴ５０１との間で信号を送受信できない。しかし、スイッチ５７０は、冗長スイッチ５８０にも接続されているので、冗長スイッチ５８０を通して信号を送受信できる。
【００８４】
冗長スイッチ５８０は、冗長ＯＮＵ５６０により電気信号に変換されたダウンストリーム信号の１つの波長（例えば、λ５）（及びλｖ）のコピーを受信し、さらにその電気信号のコピーを各スイッチ５７０に送信できる、好適ないかなるスイッチであってもよい。冗長スイッチ５８０が供給する電気信号は、スイッチ５７０がそれに対応するＯＮＵ５５０から電気信号を受信しないときに、スイッチ５７０により使用される。さらにまた、冗長スイッチ５８０はスイッチ５７０からアップストリーム信号（例えばλｕ）を受信する。アップストリーム信号を受信すると、冗長スイッチ５８０はその信号を冗長ＯＮＵ５６０に送信する。その信号はアップストリーム光信号に変換され、ＯＬＴ５０１に送信される。
【００８５】
一実施形態では、スイッチ５７０は冗長スイッチ５８０から、電気信号を常には受信しない。かかる場合、あるスイッチ５７０は、それが付随するＯＮＵ５５０から電気信号を受信していない（ＯＮＵ５５０の機能不全、またはＯＮＵ５５０へのファイバの故障による）と判断すると、冗長スイッチ５８０に信号を送り、スイッチ５７０に電気信号を送り始めるように冗長スイッチ５８０に促す（prompt）。冗長スイッチ５８０から信号を受信すると、スイッチ５７０は冗長スイッチ５８０から受信した電気信号を加入者に送信する。一実施形態では、スイッチ５７０はプロテクションスイッチング機能（protection  switching  capabilities）を有する。この機能により、各スイッチ５７０は、信号のあるなしや信号品質等の様々な要因に基づき、２つの受信信号を選択することができる。一実施形態では、スイッチ５７０は、冗長スイッチ５８０から送られた電気信号を使用し始めると、加入者から受信したアップストリーム信号も冗長スイッチ５８０を通して冗長ＯＮＵ５６０に送信し始める。
【００８６】
本発明の範囲から逸脱することなく、上記の例示したＨＰＯＮ５００に修正、追加、または削除をすることができる。上記の例示したＨＰＯＮ５００のコンポーネントは具体的な必要性に応じて一体化されたり、分離されたりしてもよい。さらに、上記の例示したＨＰＯＮ５００の動作を実行するコンポーネントの数は多くても少なくてもよいし、他のコンポーネントで実行してもよい。一例として、ＲＮに好適な数の波長ルータ（wavelength  routers）を追加して（ネットワークに好適な変更を加えて）もよい。
【００８７】
ＰＳＰＯＮ２００のトラフィックプロテクション動作を図４と図７を参照して説明した。ＨＰＯＮ５００のＯＬＴにおける機能不全に対するプロテクション動作は、ＰＳＰＯＮ２００の図４を参照して説明した動作とほぼ同様である。相違点は、λｄでダウンストリーム信号を送信する代わりに、ダウンストリーム信号がλ１−λ８の組合せであることと、トランスミッタ２２２ａと冗長トランスミッタ２２２ｂの代わりに、ＨＰＯＮ５００はトランスミッタセット５１０ａと冗長トランスミッタセット５１０ｂを含むことである。
【００８８】
図７は、ＨＰＯＮ５００のＯＮＵにおける機能不全に対する保護動作の一実施形態を示すフローチャートである。ＯＮＵにおける機能不全は、ＲＮのダウンストリームの光ファイバまたはＯＮＵにおける機能不全を表す。一実施形態では、図７のフローチャートは図４のステップ３４０の続きである。
【００８９】
ステップ６１０において、信号はＲＮで受信され、ＨＰＯＮを通して送信される。一実施形態では、ＲＮにおいて、ダウンストリーム信号（例えば、λ１−λ８のトラフィックを含む）をグループに分け、各グループが波長λ１−λ８のうちの１つのトラフィックを含むようにする。ＲＮは、トラフィックを、各波長に対応するＯＮＵ（及び／または冗長ＯＮＵ）のグループに、各波長λ１−λ８で送信する。例えば、λ１はＯＮＵ５５０ａと５５０ｂに送られ、一方、λ８はＯＮＵ５５０ｙと５５０ｚに送られる。関連波長のダウンストリーム信号は、各ＯＮＵで受信され、電気信号に変換され、対応するスイッチにより各加入者に送信される。同様に、加入者からのアップストリーム信号は、時分割方式で、各ＯＮＵからＯＬＴに（λｕで）送信される。
【００９０】
ステップ６２０において、（１つ以上の）ＯＬＴで機能不全が起こっていなければ、ステップ６１０に戻り、ＲＮにおいて信号が受信され、ＨＰＯＮ全体に送信される。しかし、ステップ６２０において、（１つ以上の）ＯＮＵで機能不全がおこっている場合、ステップ６３０に進む。
【００９１】
ステップ６３０において、機能不全に陥ったＯＮＵに付随するスイッチは、対応するＯＮＵからダウンストリームトラフィックを受信していないと判断する。結果として、ステップ６４０において、そのスイッチはＯＬＴに信号を送り、ＯＬＴにＯＮＵの機能不全を知らせる。一実施形態では、スイッチは冗長スイッチと冗長ＯＮＵとを介してＯＬＴに直接信号を送る。他の一実施形態では、スイッチは冗長スイッチに機能不全をしらせ、冗長スイッチが信号を送る。適当ないかなる制御シグナル方式（control  signaling）をこの目的のために使用してもよい。
【００９２】
ＯＬＴは、その信号を受信すると、ステップ６５０において、ダウンストリームトラフィックを構成及び送信して、機能不全に陥ったＯＮＵに対処する（accommodate）。一実施形態では、各波長λ１−λ８は時間スロットに分割され、各時間スロットが１つのＯＮＵに対応する。例えば、波長λ１は、ＯＮＵ５５０ａと５５０ｂにより受信され、複数の時間スロットに分割される。複数の時間スロットのそれぞれは、λ１を受信するグループに関連するＯＮＵ５５０ａ、ＯＮＵ５５０ｂ、またはその他のＯＮＵ（図示せず）のいずれかに送られるトラフィックの送信に対応して使用される。ＯＬＴは、例えばＯＮＵ５５０ａの機能不全を通知されると、ＯＮＵ５５０ａに宛てられたダウンストリームトラフィックを、冗長ＯＮＵ５６０を含むグループが受信する波長（例えば、λ５）に付け加える。結果として、λ５の時間スロットがＯＮＵ５５０ａに送られるダウンストリームトラフィックに付け加えられる。しかし、これが必要でない場合もある。ＯＮＵ５６０宛のダウンストリームトラフィックを入れる時間スロットが空いている場合である。一実施形態では、波長におけるトラフィックのこの構成は、複数のＯＮＵの機能不全からプロテクトするために行われる。例えば、複数のＯＮＵに対応する時間スロットを冗長ＯＮＵに関連する送信波長に付け加えても良い。このように、機能不全に陥ったＯＮＵに宛てられたトラフィックを、その機能不全に陥ったＯＮＵの波長から、冗長ＯＮＵの波長に切り換えて、トラフィックが冗長ＯＮＵを介して機能不全に陥ったＯＮＵに到達するようにすることができる。一実施形態では、機能不全に陥ったＯＮＵが冗長ＯＮＵと同じ波長を使用している（例えば、冗長ＯＮＵが機能不全に陥ったＯＮＵと同じグループに属している）とき、機能不全に陥ったＯＮＵに宛てられたトラフィックは相異なる波長には切り換えられない。冗長ＯＮＵに送信される波長は、機能不全に陥ったＯＮＵに宛てられたトラフィックをすでに含んでいるからである。
【００９３】
ステップ６６０において、冗長ＯＮＵにおいて再構成された信号を受信する。冗長ＯＮＵは、再構成された信号を受信し、それを電気信号に変換してから冗長スイッチに送信する。冗長スイッチは、そのトラフィックを機能不全に陥ったＯＮＵに付随するスイッチに送り、スイッチがそのトラフィックを加入者に送信できるようにする。
【００９４】
他の一実施形態では、スイッチは、それが対応するＯＮＵからダウンストリーム信号を受信していないと判断すると、冗長スイッチと冗長ＯＮＵとを通してＯＬＴにアップストリーム信号（λｕ）を送信する。このように、機能不全に陥ったＯＮＵは、アップストリーム信号がＯＬＴに到達することを妨げない。
【００９５】
機能不全に陥ったＯＮＵと関連するスイッチが冗長ＯＮＵに関連する再構成された波長を使用し始めると、ステップ６１０に戻る。ステップ６１０において、信号はＲＮで受信され、ＨＰＯＮを通して送信される。冗長ＯＮＵを介して信号を送受信する結果として、ネットワークは（１つ以上の）ＯＮＵにおける機能不全からプロテクトされる。機能不全に陥ったＯＮＵを修理・交換して、トラフィックを元の設定に再設定し、ネットワークは通常動作状態に戻る。
【００９６】
本発明の実施形態とその有利性を詳細に説明したが、当業者は、添付した請求項に記載した本発明の精神と範囲から逸脱することなく、様々な変更、追加、削除をすることができる。
【００９７】
以下、本発明のいくつかの態様をまとめると以下の通りである。
（付記１）  ＰＯＮにおいてトラフィックをプロテクトする方法であって、
第１のトランスミッタセットからの光ネットワークユニット（ＯＮＵ）に宛てられたダウンストリームトラフィックを送信する段階と、
第２のトランスミッタセットから前記ＯＮＵに宛てられた同一のダウンストリームトラフィックをほぼ同時に送信する段階と、
前記第１のトランスミッタセットからの前記ダウンストリームトラフィックと前記第２のトランスミッタセットからの前記ダウンストリームトラフィックのいずれかを選択して、前記ＰＯＮのリモートノードに伝送する方法。
（付記２）  前記選択されたダウンストリームトラフィックを前記ネットワーク中の装置が受信しなかったことを判断する段階と、
他のトランスミッタセットからの前記ダウンストリームトラフィックを選択して前記ＰＯＮの前記ＲＮに伝送する段階とをさらに有する請求項１に記載の方法。
（付記３）  前記選択されたダウンストリームトラフィックを前記ネットワーク中の装置が受信しなかったことを判断する段階は、前記ＰＯＮの前記ＲＮへの伝送のために前記選択されたダウンストリームトラフィックを前記ダウンストリームトラフィックを選択するセレクタが受信しなかったことを判断する段階を含む、請求項２に記載の方法。
（付記４）  前記選択されたダウストリームトラフィックを前記ネットワーク中の装置が受信しなかったことを判断する段階は、前記選択されたダウンストリームトラフィックを前記ＲＮが受信しなかったことを判断する段階を含む、請求項２に記載の方法。
（付記５）  前記選択されたダウストリームトラフィックを前記ネットワーク中の装置が受信しなかったことを判断する段階は、前記選択されたダウンストリームトラフィックを前記ＯＮＵに付随するトラフィックルーティング装置が受信しなかったことを判断する段階を含む、請求項２に記載の方法。
（付記６）  前記第１のトランスミッタセットが前記ＯＮＵのディスカバリとレンジングを実行する段階と、
前記第１のトランスミッタセットが前記ＯＮＵの各々のディスカバリとレンジングを前記第２のトランスミッタセットに伝送する段階を含む、請求項１に記載の方法。
（付記７）  前記第１のトランスミッタセットが前記ＯＮＵのディスカバリとレンジングを実行する段階と、
前記第２のトランスミッタセットが前記ＯＮＵのディスカバリとレンジングを実行する段階とをさらに含む、請求項１に記載の方法。
（付記８）  前記ＯＮＵに宛てられた前記ダウンストリームトラフィックは、
第１のＯＮＵセットに伝送される第１の波長のトラフィックと、
第２のＯＮＵセットに伝送される第２の波長のトラフィックとを含み、
各トランスミッタセットは前記第１の波長で送信するトランスミッタと前記第２の波長で送信するトランスミッタとを含む、請求項１に記載の方法。
（付記９）  ＰＯＮにおいてトラフィックをプロテクトする方法であって、
冗長ＯＮＵにおいて複数の主ＯＮＵに宛てられたダウンストリームトラフィックを受信する段階と、
前記ダウンストリームトラフィックをトラフィックルーティング装置が受信しなかったことを判断する段階と、
前記冗長ＯＮＵにおいて受信された前記ダウンストリームトラフィックを前記トラフィックルーティング装置に伝送する段階とを含む方法。
（付記１０）  前記トラフィックルーティング装置から前記ダウンストリームトラフィックを送信するトランスミッタに情報を送信して、前記トランスミッタに前記冗長ＯＮＵに宛てられた前記ダウンストリームトラフィックを再構成させる段階をさらに有する、請求項９に記載の方法。
（付記１１）  前記トラフィックルーティング装置から前記ダウンストリームトラフィックを送信するトランスミッタに情報を送信して、前記トランスミッタに前記ＯＮＵに宛てられた前記ダウンストリームトラフィックを再構成させる段階は、
ＯＮＵの機能不全に関する情報を前記トラフィックルーティング装置から前記ダウンストリームトラフィックを送信するトランスミッタに送信する段階と、
前記情報の受信に応答して、前記機能不全に陥った主ＯＮＵに宛てられたダウンストリームトラフィックを前記冗長ＯＮＵに宛てられたダウンストリームトラフィックの波長に付け加える段階とをさらに含む、請求項１０に記載の方法。
（付記１２）  機能不全に陥った主ＯＮＵに関連する加入者から受信したアップストリームトラフィックを前記冗長ＯＮＵに送信して、前記ＰＯＮの光ライン端末（ＯＬＴ）に伝送する段階をさらに有する、請求項９に記載の方法。
（付記１３）  前記冗長ＯＮＵにおいて受信した前記ダウンストリームトラフィックを前記トラフィックルーティング装置に電送する段階は、前記冗長ＯＮＵにおいて受信した前記ダウンストリームトラフィックを前記トラフィックルーティング装置に常に伝送する段階を含む、請求項９に記載の方法。
（付記１４）
前記冗長ＯＮＵにおいて受信した前記ダウンストリームトラフィックを前記トラフィックルーティング装置に電送する段階は、前記トラフィックルーティング装置が前記冗長ＯＮＵにおいて受信された前記ダウンストリームトラフィックを要求した後にのみ、前記冗長ＯＮＵにおいて受信した前記ダウンストリームトラフィックを前記トラフィックルーティング装置に伝送する段階を含む、請求項９に記載の方法。
（付記１５）
前記トラフィックルーティング装置はイーサネット(登録商標)スイッチである、請求項１１に記載の方法。
（付記１６）  ＰＯＮにおいてトラフィックをプロテクトするシステムであって、
光ネットワークユニット（ＯＮＵ）に宛てられたダウンストリームトラフィックを送信する第１のトランスミッタセットと、
前記ＯＮＵに宛てられた同一のダウンストリームトラフィックを、前記第１のトランスミッタセットとほぼ同時に送信する第２のトランスミッタセットと、
前記第１のトランスミッタセットからの前記ダウンストリームトラフィックと前記第２のトランスミッタセットからの前記ダウンストリームトラフィックのいずれかを選択して、前記ＰＯＮのリモートノードに伝送するセレクタとを有するシステム。
（付記１７）  前記セレクタは、さらに、前記ネットワーク中の装置が前記選択されたダウンストリームトラフィックを受信しなかった後に、トランスミッタの他のセットからの前記ダウンストリームトラフィックを選択して前記ＰＯＮの前記ＲＮに伝送する、請求項１６に記載のシステム。
（付記１８）  前記ネットワーク中の前記装置は前記セレクタを含む、請求項１７に記載のシステム。
（付記１９）  前記ネットワーク中の前記装置は前記ＲＮを含む、請求項１７に記載のシステム。
（付記２０）  前記ネットワーク中の前記装置は前記ＯＮＵに付随するトラフィックルーティング装置を含む、請求項１７に記載のシステム。
（付記２１）  前記第１のトランスミッタセットは、前記ＯＮＵの各々のディスカバリとレンジングを実行して、前記ＯＮＵの各々のディスカバリとレンジングを前記第２のトランスミッタセットに伝送する、請求項１６に記載のシステム。
（付記２２）  前記第１のトランスミッタセットは、さらに前記ＯＮＵのディスカバリとレンジングを実行し、
前記第２のトランスミッタセットは、さらに前記ＯＮＵのディスカバリとレンジングを実行する、請求項１６に記載のシステム。
（付記２３）  前記ＯＮＵに宛てられた前記ダウンストリームトラフィックは、
第１のＯＮＵセットに伝送される第１の波長のトラフィックと、
第２のＯＮＵセットに伝送される第２の波長のトラフィックとを含み、
各トランスミッタセットは、
前記第１の波長で送信する第１のトランスミッタと、
前記第２の波長で送信する第２のトランスミッタとを有する、請求項１６に記載のシステム。
（付記２４）  ＰＯＮにおいてトラフィックをプロテクトするシステムであって、
複数の光ネットワークユニット（ＯＮＵ）と、
前記複数の主ＯＮＵに宛てられたダウンストリームトラフィックを受信する冗長ＯＮＵと、
前記主ＯＮＵに付随するトラフィックルーティング装置であって、
それぞれの主ＯＮＵから前記ダウンストリームトラフィックを受信し、
前記冗長ＯＮＵから前記ダウンストリームトラフィックを受信し、
前記冗長ＯＮＵから前記ダウンストリームトラフィックを受信しなかったことを判断するトラフィックルーティング装置と、
前記冗長ＯＮＵに付随し、前記冗長ＯＮＵにおいて受信された前記ダウンストリームトラフィックを前記主ＯＮＵに付随する前記トラフィックルーティング装置に伝送するトラフィックルーティング装置とを有するシステム。
（付記２５）  前記トラフィックルーティング装置の各々は、前記ダウンストリームトラフィックを送信するトランスミッタに情報を送信して、前記トランスミッタに前記冗長ＯＮＵに宛てられた前記ダウンストリームトラフィックを再構成させる、請求項２４に記載のシステム。
（付記２６）  前記情報は、主ＯＮＵの機能不全に関する情報を含み、
前記冗長ＯＮＵに宛てられる前記再構成されたダウンストリームトラフィックは、前記機能不全に陥った主ＯＮＵに宛てられた前記ダウンストリームトラフィックを含む、請求項２５に記載のシステム。
（付記２７）  前記トラフィックルーティング装置の各々は、機能不全に陥った主ＯＮＵに関連するとき、加入者から受信したアップストリームトラフィックを前記冗長ＯＮＵに送信して、前記ＰＯＮの光ライン端末（ＯＬＴ）に伝送する、請求項２４に記載のシステム。
（付記２８）  各トラフィックルーティング装置は前記冗長ＯＮＵから前記ダウンストリームトラフィックを常に受信する、請求項２４に記載のシステム。
（付記２９）  各トラフィックルーティング装置は、前記冗長ＯＮＵから前記ダウンストリームトラフィックを、それを要求したときのみ受信する、請求項２４に記載のシステム。
（付記３０）  前記トラフィックルーティング装置はイーサネット(登録商標)スイッチである、請求項２４に記載のシステム。
（付記３１）  前記冗長ＯＮＵに付随する前記トラフィックルーティング装置は、前記主ＯＮＵに付随する前記トラフィックルーティング装置に送信のすべてと結合している、請求項２４に記載のシステム。
【図面の簡単な説明】
【００９８】
【図１】ＰＳＰＯＮの一例を示す図である。
【図２】ハイブリッドＰＯＮ（ＨＰＯＮ）の一例を示す図である。
【図３】冗長保護要素を有するＰＳＰＯＮの一例を示す図である。
【図４】図３のＰＳＰＯＮのＯＬＴにおける機能不全に対する保護動作の一実施形態を示すフローチャートである。
【図５】図３のＰＳＰＯＮのＯＮＵにおける機能不全に対する保護動作の一実施形態を示すフローチャートである。
【図６】冗長保護要素を有するＨＰＯＮの一例を示す図である。
【図７】図６のＨＰＯＮのＯＮＵにおける機能不全に対する保護動作の一実施形態を示すフローチャートである。
【符号の説明】
【００９９】
２０、１２０  光ライン端末
３０、１３０  光ファイバ
４０、１４０  リモートノード
５０、１５０  光ネットワークユニット
２２０  光ライン端末
２２２ａ  主トランスミッタ
２２２ｂ  冗長トランスミッタ
２２４ａ  レシーバ
２２４ｂ  冗長レシーバ
２２６  フィルタ
２３０  光ファイバ
２３５  セレクタ
２４０  リモートノード
２５０  光ネットワークユニット
２６０  冗長光ネットワークユニット
２７０  スイッチ
２８０  冗長スイッチ
【図１】
2008148323.tif 000003
【図２】
2008148323.tif 000004
【図３】
2008148323.tif 000005
【図４】
2008148323.tif 000006
【図５】
2008148323.tif 000007
【図６】
2008148323.tif 000008
【図７】
2008148323.tif 000009